(57)【要約】【課題】使用されるライトガイドに応じて照明光の光量を調整可能であり、なおかつ簡易な構造を有する内視鏡装置を実現する。【解決手段】ＲＯＭ２８には、プロセッサ３０に接続されているスコープを識別するためのスコープ識別情報が格納されており、スコープ識別情報は、プロセッサ３０側のＣＰＵ３６によって読み出される。読み出されたスコープ識別情報により、使用されているライトガイドがライトガイド３４であると特定される。そこで、データメモリ３７に格納されていた光量調整データのうちライトガイド３４のものが、ＣＰＵ３６により読み出される。ライトガイド３４に入射する照明光の光量は、オート調光回路部４０、もしくはマニュアル調光回路部４２のいずれかによって、ライトガイド３４の光伝達特性に応じた光量調整データに基づいて調整される。【選択図】図１
2007111338.tif 000002
【特許請求の範囲】
【請求項１】
照明光を伝達するライトガイドを有する複数のスコープが着脱自在な内視鏡装置のプロセッサであって、
前記照明光を出射する光源と、
前記ライトガイドに入射する前記照明光の光量を調整する光量調整手段とを備え、
前記光量調整手段が、前記スコープを識別するためのスコープ識別情報に基づいて、前記プロセッサに接続された前記スコープにおける前記ライトガイドの光伝達特性に応じて前記照明光の光量を調整可能であることを特徴とする内視鏡装置のプロセッサ。
【請求項２】
前記照明光の光量を低下させる必要があるか否かを前記スコープ識別情報に基づいて判断する判断手段をさらに有し、前記判断手段が前記照明光の光量を低下させる必要があると判断すると、前記光量調整手段が、前記照明光の光量を下げることを特徴とする請求項１に記載の内視鏡装置のプロセッサ。
【請求項３】
前記プロセッサに着脱自在な前記スコープごとに設定された前記照明光の光量調整のための光量調整データを格納するデータメモリをさらに有し、前記光量調整手段が、前記スコープ識別情報によって識別される前記プロセッサに接続された前記スコープの前記光量調整データに基づいて前記照明光の光量を調整することを特徴とする請求項１に記載の内視鏡装置のプロセッサ。
【請求項４】
前記スコープ識別情報が、外部から入力可能であることを特徴とする請求項１に記載の内視鏡装置のプロセッサ。
【請求項５】
前記光量調整手段が、絞りと、前記絞りの位置を調整する絞り調整手段とを含むことを特徴とする請求項１に記載の内視鏡装置のプロセッサ。
【請求項６】
前記絞り調整手段が、ユーザの指示に応じて前記絞りの位置を調整することを特徴とする請求項５に記載の内視鏡装置のプロセッサ。
【請求項７】
前記照明光が照射された被観察体における前記照明光の反射光を受光して前記反射光の光量を検出する受光センサと、前記絞り調整手段が前記反射光の光量に応じて前記絞りの位置を調整するオート調光モードとユーザの指示に応じて前記絞りの位置を調整するマニュアル調光モードとを切換るモード切換手段とをさらに有することを特徴とする請求項５に記載の内視鏡装置のプロセッサ。
【請求項８】
照明光を伝達するライトガイドを有する複数のスコープと、前記スコープが着脱自在なプロセッサとを備えた内視鏡装置であって、
前記プロセッサが、
前記照明光を出射する光源と、
前記ライトガイドに入射する前記照明光の光量を調整する光量調整手段とを備え、
前記光量調整手段が、前記スコープを識別するための前記スコープ識別情報に基づいて、前記プロセッサに接続された前記スコープにおける前記ライトガイドの光伝達特性に応じて前記照明光の光量を調整可能であることを特徴とする内視鏡装置。
【発明の詳細な説明】
【技術分野】
【０００１】
本発明は、光量制御可能な内視鏡装置に関する。
【背景技術】
【０００２】
内視鏡装置は、一般に、被観察体である体内組織を照明するための光源等を備えたプロセッサと、光源からの光を伝達するライトガイド等を備え、プロセッサに着脱自在に取付けられるスコープとにより構成される。光源からの照明光は、スコープ内に挿通されたライトガイドを介して、スコープの先端部から被観察体に出射される。
【０００３】
通常、ファイバの本数、太さ等が異なる様々な種類のライトガイドが設けられた複数のスコープがプロセッサに取付けられ、使用される。そして、太いライトガイドを有するスコープが使用される場合においては、スコープの先端部から出射される照明光の光量が過剰になる恐れがあるため、スコープ先端部における発熱を抑制するといった目的で、ライトガイドの入射端側にカットマスクを設けた内視鏡装置が知られている（例えば特許文献１参照）。
【特許文献１】特開平１１−３０５１４８号公報（段落［００２８］〜［００３７］、図１、２等参照）
【発明の開示】
【発明が解決しようとする課題】
【０００４】
ライトガイドに入射する照明光の光量を減らすためのカットマスク等を設けた場合、内視鏡装置の構造が複雑化する。また、カットマスクの口径は調整できないため、ライトガイドの太さ等に応じて入射光量を最適なものとする調整は不可能である。そして、複数のカットマスクを設け、その中から適当なものを選択することにより入射光量を調整する場合においても、常に所望の口径とすることはできず、最適な調整は不可能であって、内視鏡装置の構造がさらに複雑化する。
【０００５】
本発明は、使用されるライトガイドに応じて照明光の光量を調整可能であり、なおかつ簡易な構造を有する内視鏡装置を実現することを目的とする。
【課題を解決するための手段】
【０００６】
本発明の内視鏡装置のプロセッサは、照明光を伝達するライトガイドを有する複数のスコープが着脱自在であって、照明光を出射する光源と、ライトガイドに入射する照明光の光量を調整する光量調整手段とを備え、光量調整手段が、スコープを識別するためのスコープ識別情報に基づいて、プロセッサに接続されたスコープにおけるライトガイドの光伝達特性に応じて照明光の光量を調整可能であることを特徴とする。
【０００７】
内視鏡装置のプロセッサは、照明光の光量を低下させる必要があるか否かをスコープ識別情報に基づいて判断する判断手段をさらに有し、判断手段が照明光の光量を低下させる必要があると判断すると、光量調整手段が、照明光の光量を下げることが好ましい。
【０００８】
また、内視鏡装置のプロセッサは、着脱自在なスコープごとに設定された照明光の光量調整のための光量調整データを格納するデータメモリをさらに有し、光量調整手段が、スコープ識別情報によって識別されるプロセッサに接続されたスコープの光量調整データに基づいて照明光の光量を調整することが好ましい。
【０００９】
スコープ識別情報は、外部から入力可能であることが望ましい。
【００１０】
光量調整手段は、例えば、絞りと、絞りの位置を調整する絞り調整手段とを含む。そしてこの場合、絞り調整手段が、ユーザの指示に応じて絞りの位置を調整することがより好ましい。また、照明光が照射された被観察体における照明光の反射光を受光して反射光の光量を検出する受光センサと、絞り調整手段が反射光の光量に応じて絞りの位置を調整するオート調光モードとユーザの指示に応じて絞りの位置を調整するマニュアル調光モードとを切換るモード切換手段とをさらに有することがより好ましい。
【００１１】
本発明の内視鏡装置は、照明光を伝達するライトガイドを有する複数のスコープと、スコープが着脱自在なプロセッサとを備え、プロセッサが、照明光を出射する光源と、ライトガイドに入射する照明光の光量を調整する光量調整手段とを備えており、光量調整手段が、スコープを識別するためのスコープ識別情報に基づいて、プロセッサに接続されたスコープにおけるライトガイドの光伝達特性に応じて照明光の光量を調整可能であることを特徴とする。
【発明の効果】
【００１２】
本発明によれば、使用されるライトガイドに応じて照明光の光量を調整可能であり、なおかつ簡易な構造を有する内視鏡装置を実現できる。
【発明を実施するための最良の形態】
【００１３】
以下、本発明の実施形態を、図面を参照して説明する。図１は、本実施形態における電子内視鏡装置１０のブロック図である。図２は、従来例における電子内視鏡装置５０のブロック図である。なお、図２の電子内視鏡装置５０における、図１の本実施形態における電子内視鏡装置１０と同一の、もしくは対応する構成は、図１と同じ符号によって示されている。
【００１４】
電子内視鏡装置１０は、患者の体腔内の観察、撮影に用いられるスコープ２０と、スコープ２０に照明光を供給するとともに、スコープ２０から送られてくる画像信号を処理するプロセッサ３０とを備える。スコープ２０はプロセッサ３０に着脱自在に接続される。そしてプロセッサ３０には、スコープ２０を始めとする複数の異なるスコープが接続可能であり、ユーザによって選択されたスコープが接続され、使用される。また、プロセッサ３０にはモニタ６０が接続されている。
【００１５】
プロセッサ３０には、プロセッサ３０全体を制御するＣＰＵ３６、被観察体を照明するための照明光を出射する光源３２等が設けられている。ＣＰＵ３６の制御により電力が供給された光源３２は、照明光を出射する。出射された照明光は、集光レンズ（図示せず）と、絞り駆動モータ４６によって駆動される絞り３８とを通過してライトガイド３４に入射する。ライトガイド３４は、入射した照明光をスコープ２０の先端部へ伝達し、ライトガイド３４を通過した照明光は、被観察体に向けて照射される。
【００１６】
被観察体である観察部位で反射した照明光の反射光は、対物レンズ（図示せず）及びカラーフィルタ（図示せず）を通ってＣＣＤ２２に到達する。そして、光電変換により生じた、カラーフィルタを通る色に応じた被観察体像の画像信号を形成するための電荷が、ＣＣＤ２２の受光面に蓄積される。ＣＣＤ２２における蓄積された電荷により生成された画像信号は、所定の間隔で順次読み出される。
【００１７】
読み出された画像信号には増幅処理が施され、さらにアナログ画像信号からデジタル画像信号に変換される。そして、ホワイトバランス調整など様々な処理がデジタル画像信号に対して施され、輝度信号、色差信号が生成される。輝度信号及び色差信号は、プロセッサ３０の映像信号処理回路４８へ送られ、ＮＴＳＣ信号などの映像信号に変換され、モニタ６０へ出力される。この結果、被観察体像がモニタ６０に表示される。
【００１８】
なお、スコープ２０内には、スコープ２０全体を制御するスコープ制御部（図示せず）と、スコープ２０の特性や信号処理に関するデータがあらかじめ記憶されたＲＯＭ２８等が設けられている。これらのデータは、スコープ制御部によってＲＯＭ２８から読み出され、使用される。
【００１９】
ＲＯＭ２８には、プロセッサ３０に接続されているスコープを識別するためのスコープ識別情報も格納されている。このスコープ識別情報は、例えば、プロセッサ３０に接続可能なスコープごとの型式番号であり、プロセッサ３０側のＣＰＵ３６によって読み出される。そして、スコープ識別情報を読み出したＣＰＵ３６により、このときプロセッサ３０に接続されているスコープがスコープ２０であると識別され、さらにスコープ２０にて使用されているライトガイドの種類がライトガイド３４であると特定される。プロセッサ３０においては、以下に述べるように、使用されているライトガイドの種類に応じて、ライトガイド３４に入射する照明光の光量が調整される。
【００２０】
プロセッサ３０においては、ライトガイド３４に入射する光量を自動的に調整するオート調光モードと、ユーザの指示に基づいて調整するマニュアル調光モードとのいずれかが選択される。すなわち、プロセッサ３０の表面にあるフロントパネル（図示せず）に設けられた調光モード選択ボタン４４が押下されるとマニュアル調光モードが設定され、電子内視鏡装置１０の起動後、調光モード選択ボタン４４が押下されていないときと、マニュアル調光モードの選択後に再び調光モード選択ボタン４４が押下されたときには、オート調光モードが設定される。
【００２１】
マニュアル調光モードが設定されているときには、調光モード選択ボタン４４の近傍に設けられた光量調整ボタン（図示せず）が押下されることにより、所定の光量レベルが段階的に設定される。
【００２２】
プロセッサ３０においては、オート調光モードの設定時に、ライトガイド３４への入射光量を調整するオート調光回路部４０と、マニュアル調光モードの設定時に調光するためのマニュアル調光回路部４２とが設けられている。オート調光回路部４０とマニュアル調光回路部４２には、オート側セレクタ４１、マニュアル側セレクタ４３がそれぞれ設けられている。オート側およびマニュアル側セレクタ４１、４３は、調光モード選択ボタン４４の押下によって生じた信号を受信すると、受信信号に応じた信号をＣＰＵ３６に送信する。この結果、ＣＰＵ３６において、オート調光モードとマニュアル調光モードとの切換、設定が行なわれる。
【００２３】
ＣＰＵ３６には、データメモリ３７が設けられている。データメモリ３７には、スコープ２０のライトガイド３４を始めとする、プロセッサ３０とともに使用可能な全てのスコープの光量調整データが、スコープごとにテーブルデータ化されて格納されている。光量調整データは、照明光の光量調整に使用されるデータであり、本実施形態においては後述するように、絞り３８の最大開口径を設定するための絞り駆動モータ４６の設定用電圧値Ｖｓと、補正係数αとで構成されている。
【００２４】
なお、この光量調整データは、各ライトガイドの光伝達特性、すなわちライトガイドを構成するファイバの本数、太さ、長さ、材質や、スコープ２０の先端における照明光の配光角などに基づいて、適当な光量調整が可能であるように、予めデータテーブル化されている。
【００２５】
スコープ２０がプロセッサ３０に接続されると、ＣＰＵ３６は、ＲＯＭ２８からスコープ識別情報を読み出すとともに、スコープ識別情報によって特定された使用中のライトガイド、すなわちライトガイド３４の光量調整データをデータメモリ３７から読み出す。ＣＰＵ３６は、後述するように、ライトガイド３４に入射する照明光の光量を低下させる必要があるか否かを、ライトガイド３４の光量調整データに基づいて判断する。この光量調整データを用いたライトガイド３４への入射光量の調整について、設定される調光モードごとに以下に説明する。
【００２６】
オート調光モードが設定されると、まず、ＣＰＵ３６の制御により、映像信号処理回路４８からオート側調光回路４５に輝度信号が送信される。オート側調光回路４５では、ＣＣＤ２２において検出された照明光の反射光の光量に応じた、受信した輝度信号のレベルと、所定の適切な輝度値との差分が算出される。そして、オート側絞り駆動回路４９では、算出された輝度の差分に応じてライトガイド３４への照明光の入射光量を調整すべく、絞り３８を所定の位置まで移動させるために必要な動作電圧をオート側セレクタ４１に送る。
【００２７】
ここで、ＣＰＵ３６においては、オート側絞り駆動回路４９からオート側セレクタ４１に送られた動作電圧に基づいて絞り３８を移動させると、ライトガイド３４への入射光量が大きすぎるか否かが判断される。この判断は、予め取得していた光量調整データ（光量調整データが示す設定用電圧値Ｖｓ）に基づいて行なわれる。
【００２８】
そして、絞り３８を動作電圧に基づいて移動させてもライトガイド３４への入射光量が適当であり、ライトガイド３４への入射光量のさらなる調整、つまり光量を低下させることが必要ないとＣＰＵ３６によって判断された場合（すなわち取得した光量調整データが示す設定用電圧値Ｖｓが所定の基準データと同一であり、減光は不要であると判別された場合）には、動作電圧はオート側セレクタ４１からそのまま絞り駆動モータ４６に送られる。この結果、所定量の動作電圧が印加された絞り駆動モータ４６によって、絞り３８は、オート側調光回路４５によって算出された位置まで移動され、入射光量が調整される。すなわち、動作電圧の値に対応して絞りの位置および光量が設定される。
【００２９】
一方、絞り３８を動作電圧に基づいて移動させると、ライトガイド３４への入射光量が適正量を超えてしまい、ＣＰＵ３６において光量の低下が必要であると判断された場合（すなわち取得した光量調整データが示す設定用電圧値Ｖｓが所定の基準データよりも小さく、減光が必要であると判別された場合）、そのことを示す指示信号が予めＣＰＵ３６からオート側セレクタ４１に送られ、オート側絞り駆動回路４９から送信されていた動作電圧がオート側絞り制限回路５３を介して絞り駆動モータ４６に送られる。ここでＣＰＵ３６は、ライトガイド３４の光量調整データに基づいて、どの程度まで入射光量を低下させるか、すなわち絞り３８の位置をどれだけ絞り込むか（光路の閉塞側にずらすか）を示す信号を、オート側絞り制限回路５３に送っている。
【００３０】
このため、オート側絞り制限回路５３は、ＣＰＵ３６から送信された調整用の信号に基づいて、オート側セレクタ４１を介したオート側絞り駆動回路４９からの動作電圧を補正し、絞り駆動モータ４６に印加される基準電圧の量を前述の光量調整データを用いて補正する。この結果、ＣＰＵ３６によって光量低下が必要でないと判断された場合に比べ、絞り３８は照明光の光路をより大きく遮る位置に移動され、ライトガイド３４への入射光量が調整される。
【００３１】
一方、マニュアル調光モードが設定されると、光量調整ボタンの押下によってユーザが指示した光量レベルを示す信号が、マニュアル側セレクタ４３を介してＣＰＵ３６に送信される。ここでＣＰＵ３６は、データメモリ３７から読出したライトガイド３４の光量調整データに基づいて、オート調光モード設定時と同様に、ライトガイド３４への入射光量を低下させる必要があるか否かを判断する。
【００３２】
そして、光量を低下させることが必要ないとＣＰＵ３６によって判断された場合（すなわち取得した光量調整データが示す設定用電圧値Ｖｓと補正係数αとがそれぞれの所定の基準データと同一であり、減光は不要と判別された場合）には、マニュアル側調光回路４７から出力される、絞り３８の位置を制御するための位置制御信号が、マニュアル側絞り制限回路５５を経由せずに、マニュアル側絞り駆動回路５１へ直接送信されるように、マニュアル側セレクタ４３が制御される。ここで、位置制御信号は、指示された光量レベルに対応した入射光量をライトガイド３４に入射させる位置まで、絞り３８を駆動させるための信号である。
【００３３】
絞り駆動モータ４６は、動作電圧の大きさに応じて回転軸の位置が変化するサーボモータであり、回転軸の位置はそのまま絞りの位置に対応していて、この回転軸の位置データは絞り位置データとしてマニュアル側調光回路４７に送られる。マニュアル側調光回路４７は、位置制御信号と絞り位置データとに基づいて、絞り３８の実際の位置が、本来の適当な位置にあるか否かを判断し、必要に応じて絞り駆動モータ４６に供給される基準電圧値を調整する。
【００３４】
一方、光量低下が必要であるとＣＰＵ３６によって判断された場合（すなわち取得した光量調整データが示す設定用電圧値Ｖｓと補正係数αとがそれぞれの所定の基準データと異なり、減光が必要であると判別された場合）には、マニュアル側セレクタ４３が切替られて、マニュアル側調光回路４７からの位置制御信号はマニュアル側絞り制限回路５５へ入力され、以下のように、マニュアル側絞り制限回路５５により補正された位置制御信号がマニュアル側絞り駆動回路５１を介して絞り駆動モータ４６に入力される。
【００３５】
すなわちまず、ＣＰＵ３６は、読み取った光量調整データ中の補正係数αをマニュアル側絞り制限回路５５に送信する。マニュアル側絞り制限回路５５は、マニュアル側セレクタ４３から受信した位置制御信号に補正係数αを乗じて、位置制御信号を、装着されたスコープであるスコープ２０に適した位置制御信号に補正して、マニュアル側絞り駆動回路５１に送信する。そしてマニュアル側絞り駆動回路５１が、位置制御信号に基づいて絞り駆動モータ４６に印加される基準電圧を調整する。
【００３６】
この結果、絞り３８は、絞り駆動モータ４６によって適当な位置まで移動され、指定された光量レベルに対応した光量よりも小さい光量の入射光が、ライトガイド３４に入射される。
【００３７】
なお、マニュアル側調光回路４７は、絞り駆動モータ４６の初期調整時に、最大の基準電圧が絞り駆動モータ４６に印加されると絞り３８の開口角度が最大になり、最小の基準電圧が印加されると絞り３８の開口角度が最小となるように、絞り駆動モータ４６を調整する。このようにマニュアル側調光回路４７は、絞り駆動モータの個体差が光量調整に悪影響を及ぼすことを防止する。
【００３８】
そしてマニュアル側調光回路４７は、マニュアル調光モード設定時には、絞り駆動モータ４６の位置をフィードバック制御が可能であり、絞り駆動モータ４６の位置信号を検出、ユーザが設定した光量レベルに対応した位置であるかを比較し、両者に差がある場合にはその差に応じた信号をマニュアル側絞り駆動回路５１に出力し、マニュアル側絞り駆動回路５１が絞り駆動モータ４６を移動させる。そしてさらに、絞り駆動モータ４６の移動後の位置を示す信号がマニュアル側調光回路４７に送信される。このフィードバック制御の反復により、絞り３８は、ユーザにより選択された光量レベルに対応した適切な位置まで移動し、ライトガイド３４に入射する照明光の光量は、正確に調整される。
【００３９】
以上のように、使用されているライトガイドを識別し、そのライトガイドの特性に応じて入射光の光量を制御可能な本実施形態の内視鏡装置１０においては、例えば、過剰な照明光がライトガイド３４に入射することにより、ライトガイド３４の出射端近傍、すなわちスコープ２０の先端部における高温化の防止等が可能である。
【００４０】
これに対し、使用されているライトガイドの識別が不可能で、光量調整データを格納するデータメモリ３７が設けられておらず、使用されるライトガイドに応じた光量調整を実施できない従来例の内視鏡装置５０（図２参照）においては、先述の高温化等の不具合を防止することはできない。
【００４１】
なお、オート調光モード、もしくはマニュアル調光モードのいずれかが設定された方が好ましい場合がある。例えば、アドオンカメラを取付けるタイプのスコープがプロセッサ３０に接続されると、ＣＣＤからの画像信号がプロセッサ３０に送られないため、マニュアル調光回路部４２による光量調整が必要である。このように、ライトガイド３４の光伝達特性以外の要素によって調光モードを選択的に設定することも、光量調整データに必要な情報を加えておくことにより可能である。
【００４２】
図３は、光源３２と絞り３８等を概略的に示す側面図である。図４は、光源３２と絞り３８等を概略的に示す斜視図であり、図５は、ライトガイド３４側から見た光源３２と絞り３８等を概略的に示す正面図である。
【００４３】
絞り３８は、羽根状の部材であり、絞り駆動モータ４６に取付けられている。絞り３８を通過した照明光Ｌは、集光レンズ３５によって集光された後にライトガイド３４（図１参照）に入射する。そして絞り３８は、矢印Ａの示すように、照明光Ｌの光路に対して垂直方向な方向に回転し、オート調光回路部４０、もしくはマニュアル調光回路部４２によって制御される絞り駆動モータ４６は、所定の回転位置にあるように絞り３８を駆動する（図４、５参照）。
【００４４】
なお、図３〜５は光源３２と絞り３８等の構成、配置を概略的に示したに過ぎず、実施の光源３２と絞り３８の構成等は図示されたものには限定されない。例えば、絞り３８の形状は、図４および５にて示されたように、照明光の光路の端部から優先的に遮るのではなく、光路の中央付近と端部とをほぼ一定の割合で遮蔽可能であるように設計されても良い。
【００４５】
図６は、マニュアル調光モードにおいて設定される光量レベルに対応する基準電圧等と、絞り３８の位置とを例示する図である。図７は、図６の光量レベルよりも低下した光量レベルに対応する基準電圧等と、絞り３８の位置とを例示する図である。
【００４６】
マニュアル調光モードにおいては、被観察体の観察、撮影に使用される照明光の光量レベルは、例えば６段階に設定される。そして、ＣＰＵ３６によってライトガイド３４への入射光量を低下させる必要がないと判断されると、図６に示された、各光量レベルに応じた基準電圧が絞り駆動モータ４６に印加される。
【００４７】
これに対し、先述のように、ＣＰＵ３６によってライトガイド３４への入射光量を低下させる必要があると判断されると、マニュアル側絞り制限回路５５からの信号によって、マニュアル側絞り駆動回路５１が、絞り駆動モータ４６に印加される基準電圧を調整（低下）させる。すなわち、調整されないときは絞り駆動モータ４６に印加される基準電圧が最大で６．０（Ｖ）であったのに対し、この最大基準電圧に例えば補正係数α＝０．８が乗算されることにより４．８（Ｖ）まで低下され（図７参照）、基準電圧に比例する動作電圧も同様に、例えば最大で１０（Ｖ）であったところ８（Ｖ）まで低下される。
【００４８】
この結果、最も低い光量レベル、すなわち絞り３８を通過する照明光Ｌの光量が最も小さい光量レベル１が設定されたときと、最も高い光量レベルであって、絞り３８を通過する光量が最も大きい光量レベル６が設定されたときとの回転位置の差は、基準電圧が調整されないときにおいてはほぼ９０°（図６参照）であるのに対し、基準電圧が低下されるとおよそ６０°程度まで小さくなる（図７参照）。なお、図６、７における、照明光Ｌの光路Ｐに重なる直線は、各光量レベルが設定されたときの絞り３８の下端の位置を示している。
【００４９】
このように、補正係数α（ここではα＝０．８）により絞り駆動モータ４６に印加される基準電圧が調整された場合、光量レベルを１段階切換えたときの基準電圧および動作電圧の変化量、絞り３８の回転位置の差（開口角度）は、いずれも、基準電圧が調整されない場合の補正係数α倍、すなわち０．８倍に縮小される。
【００５０】
以上のことから、光量レベル６が設定され、入射光量の低下が不要と判断された場合においては、照明光Ｌの光路Ｐにおいて遮られる領域Ｐ1は非常に狭い（図６参照）のに対し、同じ光量レベル６が設定され、入射光量の低下が必要であると判断された場合においては、照明光Ｌの光路Ｐにおいて遮られる領域Ｐ2は、領域Ｐ1よりも広くなる（図７参照）。
【００５１】
そして、図６および７の比較により明らかであるように、光路Ｐにおいて遮蔽される領域は、光量レベル６に限らず、他のいかなる光量レベルが設定されたときにおいても、入射光量の低下が必要であると判断され、基準電圧が低下された場合の方が広い。なお、基準電圧が低下されると、各光量レベル間における絞り３８の回転位置の差が縮まり、異なる光量レベルが設定されたときの絞り３８の回転量は小さくなる。
【００５２】
以上のように、本実施形態の内視鏡装置１０においては、スコープ２０のＲＯＭ２８にスコープ識別情報を格納させ、使用されているライトガイド３４の光伝達特性に基づく光量調整データを用いて、ライトガイド３４への入射光の光量を制御することにより、照明光の光量を適当なものに調整できる。このため、例えば過剰な照明光が集光されたことによるライトガイド３４の高温化、破損等が防止できる。
【００５３】
スコープ識別情報は、プロセッサ３０に接続されたキーボード等により入力可能であっても良い。また、スコープ識別情報をＲＯＭ２８に格納させておく代わりに、プロセッサ３０に接続可能な全てのスコープにおけるライトガイドの光量調整データをスコープ２０に格納させておき、スコープ２０がプロセッサ３０に接続される度に、ＣＰＵ３６が光量調整データを読み出しても良い。
【００５４】
また、テーブルデータ化された光量調整データを用いるのではなく、ライトガイドの光伝達特性そのものを示すライトガイドデータに基づいて、ライトガイドへの照明光の光量を調整しても良い。
【００５５】
この場合まず、ライトガイドデータが示すライトガイドの太さ（ライトガイドを構成する光ファイバの本数、あるいは光ファイバの径）や、減衰率を左右するライトガイドの長さなどに基づいて、ＣＰＵ３６が、ライトガイドへの入射光量を低下させるべきか否かを判断する。そして、照明光の光量を低下させる必要があると判断されると、ライトガイドへの照明光の実際の入射光量は、オート調光回路部４０あるいはマニュアル調光回路部４２において適当であると判断された入射光量よりも低い適当な量となるように制御される。
【００５６】
また、プロセッサ３０における光量調整は、絞り３８を通過させる光量の低下のみに限定されない。例えば、内蔵する光源３２の出射する光量が比較的小さいプロセッサにおいては、使用されるライトガイドによっては絞り３８を通過させる光量を増加させるように、絞り駆動モータ４６を制御しても良い。
【図面の簡単な説明】
【００５７】
【図１】本実施形態における電子内視鏡装置のブロック図である。
【図２】従来例における電子内視鏡装置のブロック図である。
【図３】光源と絞り等を概略的に示す側面図である。
【図４】光源と絞り等を概略的に示す斜視図である。
【図５】光源と絞り等を概略的に示す正面図である。
【図６】マニュアル調光モードにおいて設定される光量レベルに対応する基準電圧等と、絞りの位置とを例示する図である。
【図７】図６の光量レベルよりも低下した光量レベルに対応する基準電圧等と、絞りの位置とを例示する図である。
【符号の説明】
【００５８】
１０  電子内視鏡装置（内視鏡装置）
２０  スコープ
２２  ＣＣＤ（受光センサ）
３０  プロセッサ
３２  光源
３４  ライトガイド
３６  ＣＰＵ（判断手段）
３７  データメモリ
３８  絞り（光量調整手段）
４４  調光モード選択ボタン（モード切換手段）
４６  絞り駆動モータ（光量調整手段・絞り調整手段）
【図１】
2007111338.tif 000003
【図２】
2007111338.tif 000004
【図３】
2007111338.tif 000005
【図４】
2007111338.tif 000006
【図５】
2007111338.tif 000007
【図６】
2007111338.tif 000008
【図７】
2007111338.tif 000009